(57)【要約】【課題】  洗浄済みの印刷版を上下に重ねて積上げるストック装置として、印刷版を風圧や衝撃が作用しない状態で整然と積重ねることができるものを提供する。【解決手段】  洗浄機１１の送出しローラ１２に隣接して設置した、洗浄済みの印刷版１３の送出し方向に水平にのびるベルトコンベヤからなる受入れコンベヤ１５と、受入れコンベヤ１５の直下部から印刷版１３の送出し方向の前方域において、伸縮機構を介して前後に伸縮可能な格子状の伸縮コンベヤ本体１７を備えた受継ぎ伸縮コンベヤと、受継ぎ伸縮コンベヤの伸縮域の下方部に設置した、昇降機構を介して昇降可能な受板２６とからなる。【選択図】        図１
2005075504.tif 000002
【特許請求の範囲】
【請求項１】
洗浄済み印刷版の送出し方向に水平にのびる受入れコンベヤと、受入れコンベヤの直下部から印刷版の送出し方向に前方域において前後に伸縮可能な受継ぎ伸縮コンベヤと、受継ぎ伸縮コンベヤの伸縮域の下方部に昇降可能に設置した受板とからなる、洗浄済み印刷版のスタック装置。
【請求項２】
受継ぎ伸縮コンベヤが、前後方向に間隔をおいて列設した、横方向にのびる複数のベルト掛けバーと、隣接する各ベルト掛けバー間に横方向に間隔をおいて緊張弛緩自在に掛け渡した複数の細幅ベルトとからなる格子状の伸縮コンベヤ本体を備えてなる、請求項１記載の洗浄済み印刷版のスタック装置。
【請求項３】
細幅ベルトが無端である、請求項２記載の洗浄済み印刷版のスタック装置。
【発明の詳細な説明】
【技術分野】
【０００１】
この発明は、洗浄機から順次送出される洗浄済みの印刷版、特に段ボール板等印刷用のフレキソ印刷版などのシート状の印刷版を、洗浄機の隣接部において上下に重ねて積上げるためのスタック装置に関する。
【背景技術】
【０００２】
洗浄済みの段ボール板印刷用の印刷版のスタック装置としては、図６に示すように、洗浄機１１の洗浄済みの印刷版１３の送出しローラ１２の下流側に隣接して設置した、印刷版１３の送出し方向の前方に下り勾配でのびる傾斜受台３１からなり、洗浄機１１から送出される洗浄済みの各印刷版１３を傾斜受台３５上に送込んで、最初はその傾斜面上を、後は先行の印刷版１３上を滑らせながら積重ねていくものが知られている。
【０００３】
また図７に示すように、印刷版１３の送出し方向において前後に水平に移動可能な可動ニッパー３６と、可動ニッパー３６の移動域の下方部に設置した定置式の受板３７とからなり、洗浄機１１から送出される洗浄済みの各印刷版１３の先端部を可動ニッパー３６でくわえて、可動ニッパー３６を印刷版１３の送出し方向の前方にその送出し速度と同速度で移動して、印刷版１３を送出し方向に水平な緊張状態で引出し、印刷版１３の終端部が洗浄機１１を離れた直後に可動ニッパー３６によるくわえを解除することにより、印刷版１３を受板３７上に落下させて積重ねていくものも知られている。
【０００４】
さらに洗浄済みの段ボール板印刷用の印刷版を対象にしたものではないが、ベルトコンベヤの送出し端部に隣接して、定置式の水平な受台を設け、印刷版をベルトコンベヤから受台又は先行の印刷版上に滑らせながら送込んで、積重ねるものも知られている（例えば、特許文献１参照）。
【０００５】
しかし上記の公知のスタック装置のうち図６に示す傾斜受台型には、特に後続の印刷版１３が先行の印刷版１３上を滑る際に、引っ掛かって、送り込みが乱れ、折損したり、破損したりするという問題があり、また図７に示す可動ニッパー・受板型には、印刷版１３が受板３７上に落下する途上で受ける風圧や落下した時の衝撃により、折損したり、破損するほか、落下途上の風圧によって横方向に変位し易いため、積重ね状態が乱れるという問題がある。さらに例えば特許文献１に記載のベルトコンベヤ・水平受台型にも、図６の傾斜受台型とほぼ同様に、特に後続の印刷版が先行の印刷版上を滑りながら送られる際に、引っ掛かりが生じるため、折損、破損の問題がある。
【特許文献１】特開２００２−３０８５１３号公報
【発明の開示】
【発明が解決しようとする課題】
【０００６】
この発明は、公知のものに認められる上記のような問題に鑑み、洗浄済み印刷版のスタック装置として、印刷版を風圧や衝撃が作用しない状態で整然と積重ねていくことができるものを提供することを主要な課題としている。
【課題を解決するための手段】
【０００７】
この発明によれば、上記の課題は、特許請求の範囲の請求項１に記載したように、洗浄済み印刷版の送出し方向に水平にのびる受入れコンベヤと、受入れコンベヤの直下部から印刷版の送出し方向の前方域において前後に伸縮可能な受継ぎ伸縮コンベヤと、受継ぎ伸縮コンベヤの伸縮域の下方部に昇降可能に設置した受板とからなる洗浄済み印刷版のスタック装置によって解決する。
【０００８】
この発明の洗浄済み印刷版のスタック装置においては、一般には、受板を昇降後の間欠的又は連続的な下降操作によって、常に受板が受継ぎコンベヤの直下部に位置するようにする一方において、洗浄機から送出される洗浄済みの各印刷版について、受入れコンベヤを印刷版の送出し速度と等速度で作動させながら、受入れコンベヤにその後端部から受入れて、その前（先）端部から垂下状態で送出す一方、受継ぎ伸縮コンベヤを、洗浄済みの印刷版の送出し速度とほぼ等速度でその前（先）端から伸長させて、受入れコンベヤから垂下状態で送出される印刷版部を伸長部上に受容しながら、印刷版全体を伸長した受継ぎ伸縮コンベヤ上に受容した後、受継ぎ伸縮コンベヤを前端側から収縮して、印刷版を支持が無くなった前端部から垂下させながら、受板上に受容し、受継ぎ伸縮コンベヤ全体が受入れコンベヤの直下部において完全に収縮した段階で、印刷版全体を受板に受渡すという形で、洗浄済みの印刷版を受板上に上下に積重ねて堆積させる。
【０００９】
この発明においては、請求項２に記載のように、受継ぎ伸縮コンベヤは、なるべく、前後方向に間隔をおいて列設した、横（左右）方向にのびる複数のベルト掛けバーと、隣接する各ベルト掛けバー間に横方向に間隔をおいて緊張弛緩自在に掛け渡した複数の細幅ベルトとからなる格子状の伸縮コンベヤ本体を備えた構成にする。
【００１０】
さらにこの発明においては、請求項３に記載したように、上記の伸縮コンベヤ本体の細幅ベルトは、なるべくは、無端のものを用いる。
【発明の効果】
【００１１】
この発明に係る請求項１に記載の洗浄済み印刷版のスタック装置によれば、各洗浄済みの印刷版は、受入れコンベヤからその直下を伸長する受継ぎ伸縮コンベヤ上に、先端から垂下状態で受渡された後、収縮する受継ぎ伸縮コンベヤからその直下の受板の印刷版受容部に、先端側から垂下状態で受け渡されて堆積されるので、全体を通して風圧や衝撃を受けることが無く、無損傷でかつ整然と積重ねることができる。
【００１２】
また発明の請求項２に記載の伸縮コンベヤ本体を備えた受継ぎ伸縮コンベヤによれば、細幅ベルトの間隔をおいた格子状の配置による空気の流通性の点から、洗浄液が付きにくいとともに付いても乾き易く、洗浄済みの印刷版に洗浄液が転移する恐れは殆ど無い。
【００１３】
さらに請求項３に記載の伸縮コンベヤ本体の細幅ベルトの無端構成によれば、伸縮ベルト本体を、隣接するベルト掛けバーに対する無端の細幅ベルトの装着（巻き掛け）操作で簡単に製作することができ、製作コストが低い。
【発明を実施するための最良の形態】
【００１４】
以下図面に基づいて、この発明に係る洗浄済み印刷版のスタック装置の実施形態について説明する。
【００１５】
図示した形態では、受入れコンベヤ１５は、長さが短いベルトコンベヤからなっており、洗浄機１１の送出しローラ１２を介して送出される洗浄済みの印刷版１３を、その後端部（上流側端部）で受け入れて、前端部（下流側端部）から受継ぎ伸縮コンベヤ１６に向かって垂下状態で送出す。
【００１６】
受継ぎ伸縮コンベヤ１６は、前後に間隔をおいて列設する複数のベルト掛けバー１８の隣接する各ベルト掛けバー１８間に、複数の無端の細幅ベルト１９を横方向に間隔をおいて緊張弛緩自在に掛け渡した格子形の伸縮コンベヤ本体１７を備えているとともに、伸縮コンベヤ本体１７の後端のベルト掛けバー１８以外の各ベルト掛けバー１８の各端部をスライド自在に係合させた、前後に水平にのびる左右一対の伸縮ガイドレール２１と、先端のベルト掛けバー１８の各端部を固定した、前後のベルトプーリ２２間を水平にのびる一対のタイミングベルト２２及び後部の駆動側のベルトプーリ２２の可逆回転用の可逆モータ２４を含む伸縮機構２０を備えている。
【００１７】
この受継ぎ伸縮コンベヤ１６は、受入れコンベヤ１５の上流側端部に近接して設置した光電センサ２５による各印刷版１３の受入れ信号により、伸縮機構２０を構成する可逆モータ２４を正転して、タイミングベルト２２を前方側に走行させ、これにより伸縮コンベヤ本体１７をほぼ印刷版１３の送出し速度と同等の伸長速度で前端側から伸長させて、受入れコンベヤ１５から垂下状態で送出される印刷版１３を受容する一方、光電センサ２５による各印刷版１３の受入れ終了（送出し終了）信号に基づいて、可逆モータ２４を逆転して、タイミングベルト２２を後方向に走行させ、これにより全体が伸長した伸縮コンベヤ本体１７を前端側から収縮させて、印刷版１３を受板２６に垂下状態で受渡す。
【００１８】
受板２６は長方形で、各コーナー部に、ワイヤロープ２９、ローププーリ３０、ロープドラム３１及び可逆モータ３２とともに昇降機構２７を構成する、上下にのびる昇降ガイドロッド２８がスライド係合しているとともに、ワイヤロープ２９が連結されており、当初、可逆モータ３２の正転によって、その表面が受継ぎ伸縮コンベヤ２６の直下部に位置する最も高い上昇状態した後、光電センサ２５の各印刷版受入れ又は受入れ終了信号に基づいて計数される印刷版１３の積重ね枚数の増大とともに、可逆モータ３２の間欠的又は連続的な逆転により、徐々に下降させて、受継ぎ伸縮コンベヤ１６と積重ねて堆積した最上部の印刷版１３との間隔をほぼ一定に維持しながら、印刷版１３を受容していく構成になっている。
【００１９】
この発明の洗浄済み印刷版のスタック装置は、このほか、受継ぎ伸縮コンベヤの伸縮機構として、ベルト式に代えて、チエン式を用いたり、受板の昇降機構として、ワイヤロープ式に代えて、チエン式を用いるなど、種々の形態で実施することができるもので、上記の形態に限定されるものでない。
【図面の簡単な説明】
【００２０】
【図１】この発明に係る洗浄済み印刷版のスタック装置の一実施形態の要部の受継ぎ伸縮コンベヤの一部伸長時の略側面図である。
【図２】図１に示す実施形態の要部の受継ぎ伸縮コンベヤの一部収縮時の略側面図である。
【図３】受継ぎ伸縮コンベヤの一部伸長時の拡大側面図である。
【図４】受継ぎ伸縮コンベヤの一部伸長時の拡大平面図である。
【図５】受板の昇降機構の拡大側面図である。
【図６】公知の一スタック装置の要部の略側面図である。
【図７】公知の他のスタック装置の要部の略側面図である。
【符号の説明】
【００２１】
１１  洗浄機
１２  送出しローラ
１３  印刷版
１５  受入れコンベヤ
１６  受継ぎ伸縮コンベヤ
１７  伸縮コンベヤ本体
１８  ベルト掛けバー
１９  細幅ベルト
２０  伸縮機構
２１  伸縮ガイドレール
２２  タイミングベルト
２３  ベルトプーリ
２４  可逆モータ
２５  光電センサ
２６  受板
２７  昇降機構
２８  昇降ガイドロッド
２９  ワイヤロープ
３０  ローププーリ
３１  ロープドラム
３２  可逆モータ
【図１】
2005075504.tif 000003
【図２】
2005075504.tif 000004
【図３】
2005075504.tif 000005
【図４】
2005075504.tif 000006
【図５】
2005075504.tif 000007
【図６】
2005075504.tif 000008
【図７】
2005075504.tif 000009